(57)【要約】【課題】より状況に応じたメール本文を自動的に生成することができる電子メール装置を提供する。【解決手段】メール送受信機能を持ち、通信制御部３０を介して写真の送受信ができる。複数の使用者はそれぞれ異なったメールアドレスをアドレス帳３３に設定する。更に撮像素子８と顔認識エンジン１００を有し、顔認識のために予め複数の使用者の顔を登録しておくが、初期登録の際にメールアドレスと関連づけ、アドレス帳３３に顔写真が登録される。メモリカード６０を挿入して写真を保存する時は、顔認識により誰が今画像を入力しているかを判断して自動フォルダ分けするとともに、誰宛に送られてきた写真かも判断して、受信した写真も自動フォルダ分けすることができる。【選択図】      図１０
2012068805.tif 000002
【特許請求の範囲】
【請求項１】
電子メールアドレスと、当該電子メールアドレスに対応付けられた個人の属性情報である第１属性情報とを含むアドレス帳が記憶された記憶手段と、
前記第１属性情報に対応する第１関連情報と当該第１属性情報とは異なり且つ当該第１関連情報に関連付けられた第２関連情報とを含む、関連情報を有するサーバーとの通信を行って、当該関連情報を当該サーバーから取得する通信手段と、を備え、
前記電子メールアドレスを宛先とする電子メールの本文を生成する際に、当該電子メールアドレスに対応付けられた前記個人の前記第１属性情報に前記第１関連情報を介して関連付けられた前記第２関連情報に基づいて、前記電子メールの本文を生成することを特徴とする電子メール装置。
【請求項２】
前記アドレス帳は、前記電子メールアドレスに対応付けられた前記個人の属性情報であって且つ前記第１属性情報とは異なる第２属性情報を更に含み、当該第２属性情報は、前記電子メールの本文を生成する際に編集されずに前記電子メールの本文にそのまま含まれることを特徴とする請求項１に記載の電子メール装置。
【請求項３】
前記第１属性情報は、前記電子メールの本文を生成する際に前記電子メールの本文に含まれないことを特徴とする請求項１又は２に記載の電子メール装置。
【請求項４】
前記第１属性情報は位置を特定する位置情報であり、前記第２関連情報は当該位置における気象情報であり、前記気象情報に基づいて、前記電子メールの本文を生成することを特徴とする請求項１乃至３の何れか一項に記載の電子メール装置。
【請求項５】
前記第１属性情報は前記個人の住所であることを特徴とする請求項１乃至４の何れか一項に記載の電子メール装置。
【請求項６】
前記第２属性情報は前記個人のニックネームであることを特徴とする請求項２に記載の電子メール装置。
【請求項７】
時刻情報を有する計時手段を更に備え、
前記計時手段が有する時刻情報に基づいて、前記電子メールの本文を生成することを特徴とする請求項１乃至６の何れか一項に記載の電子メール装置。
【請求項８】
画像撮像手段を更に備え、
前記電子メール本文に挿入される語句情報を前記通信手段を介して外部から取得し、
外部から当該語句情報を取得する際に、前記画像撮像手段によって得られた操作者の顔画像に基づいて顔認識を行って、前記記憶手段のうち当該操作者専用の記録領域に当該語句情報を記憶し、
前記電子メールの本文を編集する際に、前記画像撮像手段によって得られた操作者の顔画像に基づいて顔認識を行って、当該操作者専用の前記記録領域に記憶された前記語句情報を、当該操作者が選択して当該電子メールの本文に挿入できるように、提示することを特徴とする請求項１乃至７の何れか一項に電子メール装置。
【請求項９】
前記サーバーが前記語句情報を有し、
前記通信手段は、前記サーバーとの通信を行って、当該語句情報を当該サーバーから取得することを特徴とする請求項８に記載の電子メール装置。
【請求項１０】
請求項１乃至９の何れか一項に記載の電子メール装置と、
前記関連情報を有し、前記電子メール装置に当該関連情報を提供するサーバーとを備えることを特徴とする電子メールシステム。
【請求項１１】
前記サーバーは、第２サーバーとの通信を行って、当該第２サーバーの有する情報源に基づいて前記関連情報を生成することを特徴とする請求項１０に記載の電子メールシステム。
【請求項１２】
コンピュータにより読み取り実行可能なプログラムであって、
アドレス帳からメールアドレスを取得するステップと、
前記メールアドレスに対応する個人の住所を取得するステップと、
前記住所に基づいて地域名を特定するステップと、
サーバーから前記地域名に対応する気温情報を取得するステップと、
前記気温情報に含まれる本日の気温が第１所定値以上であるかどうかを判定するステップと、
前記本日の気温が前記第１所定値以上であった場合に、前記気温情報に含まれる昨日の気温が前記第１所定値以上であるかどうかを判定するステップと、
前記昨日の気温が前記第１所定値以上であった場合に、第１生成文を生成するステップと、を含むことを特徴とするプログラム。
【請求項１３】
前記昨日の気温が前記第１所定値以上であった場合に、前記気温情報に含まれる２日前の気温が前記第１所定値以上であるかどうかを判定するステップと、
前記２日前の気温が前記第１所定値以上であった場合に、前記第１生成文を生成するステップと、
前記２日前の気温が前記第１所定値未満であった場合に、第２生成文を生成するステップを、更に含むことを特徴とする請求項１２に記載のプログラム。
【請求項１４】
前記本日の気温が前記第１所定値未満であった場合に、前記本日の気温が前記第２所定値未満であるかどうかを判定するステップと、
前記本日の気温が前記第２所定値未満であった場合に、前記気温情報に含まれる昨日の気温が前記第２所定値未満であるかどうかを判定するステップと、
前記昨日の気温が前記第２所定値未満であった場合に、第３生成文を生成するステップと、を含むことを特徴とする請求項１２又は１３に記載のプログラム。
【請求項１５】
前記昨日の気温が前記第２所定値未満であった場合に、前記気温情報に含まれる２日前の気温が前記第２所定値未満であるかどうかを判定するステップと、
前記２日前の気温が前記第２所定値未満であった場合に、前記第３生成文を生成するステップと、
前記２日前の気温が前記第２所定値以上であった場合に、第４生成文を生成するステップを、更に含むことを特徴とする請求項１４に記載のプログラム。
【請求項１６】
コンピュータにより読み取り実行可能なプログラムであって、
撮像した画像から操作者の顔を認識するステップと、
サーバーから語句情報を取得するステップと、
当該語句情報を当該操作者に対応付けられた記憶領域に記憶するステップと、を含むことを特徴とするプログラム。
【請求項１７】
撮像した画像から操作者の顔を認識するステップと、
当該操作者がメール本文を編集する際に、当該操作者に対応付けられた前記記憶領域に記憶された前記語句情報を提示するステップと、を含むことを特徴とする請求項１６に記載のプログラム。
【請求項１８】
アドレス帳が記憶された記憶手段と、サーバーとの通信を行って当該サーバーから関連情報を取得する通信手段と、を備える電子メール装置の本文生成方法であって、
前記アドレス帳は電子メールアドレスと、当該電子メールアドレスに対応付けられた個人の属性情報である第１属性情報とを含み、
前記サーバーは、前記第１属性情報に対応する第１関連情報と当該第１属性情報とは異なり且つ当該第１関連情報に関連付けられた第２関連情報とを含む、関連情報を有し、
前記電子メールアドレスを宛先とする電子メールの本文を生成する際に、当該電子メールアドレスに対応付けられた前記個人の前記第１属性情報に前記第１関連情報を介して関連付けられた前記第２関連情報に基づいて、前記電子メールの本文を生成することを特徴とするメール本文生成方法。
【請求項１９】
前記第１属性情報は位置を特定する位置情報であり、前記第２関連情報は当該位置における気象情報であり、前記気象情報に基づいて、前記電子メールの本文を生成することを特徴とする請求項１８に記載のメール本文生成方法。
【請求項２０】
前記電子メール装置は画像撮像手段を更に備え、
前記電子メール本文に挿入される語句情報を前記通信手段を介して外部から取得し、
外部から当該語句情報を取得する際に、前記画像撮像手段によって得られた操作者の顔画像に基づいて顔認識を行って、前記記憶手段のうち当該操作者専用の記録領域に当該語句情報を記憶し、
前記電子メールの本文を編集する際に、前記画像撮像手段によって得られた操作者の顔画像に基づいて顔認識を行って、当該操作者専用の前記記録領域に記憶された前記語句情報を、当該操作者が選択して当該電子メールの本文に挿入できるように、提示することを特徴とする請求項１８又は１９に記載のメール本文生成方法。
【発明の詳細な説明】
【技術分野】
【０００１】
本発明は、電子メール装置、電子メールシステム、プログラム並びにメール本文生成方法に関する。
【背景技術】
【０００２】
近年、デジタルカメラの普及により、写真は、デジタル画像データとして保存することが一般的となっている。従来のフィルムカメラによる撮影の場合、プリントを伴うことが多かったが、画像データの場合、撮影したデジタルカメラで閲覧したり、画像データを取り込んだパーソナルコンピュータなどで閲覧したりすることができるため、写真の楽しみ方にも変化が生じている。
【０００３】
このような状況において、画像データでも従来のプリント写真と同様の楽しみ方ができるようにするため、いわゆるデジタルフォトフレームが実現され普及している。このようなデジタルフォトフレームでは、撮影した写真を再生して好きなときに鑑賞したり、スライドショー表示したり、画像データを保存するアルバム端末として使用することができる。
【０００４】
そして、ネットワークに接続し、メールの送受信も可能なデジタルフォトフレームも提案されている（例えば、特許文献１）。
【０００５】
他方、従来のデジタルフォトフレームはハードウェアキーボードといった文字入力装置を備えていない。また、ソフトウェアキーボードを備えさせることで、これを利用して操作者に本文を編集させることも可能であるが、写真を閲覧することが主用途であるフォトフレームに文字入力手段としてのソフトウェアキーボードを備えさせることは、製造コストの割に効果が低いと考えられる。
【０００６】
このような背景により、従来のデジタルフォトフレームは、メールを送信する機能を有するものの、その本文を自由に編集することはできなかった。この場合、送信するメールの本文は自動で生成されるかあるいは本文なしで画像だけを添付してメール送信するといったことが検討されているが、このようなメールは、受信者に冷たい印象を与えてしまう。
【先行技術文献】
【特許文献】
【０００７】
【特許文献１】特開２０１０−６１２４６号公報
【発明の概要】
【発明が解決しようとする課題】
【０００８】
本発明は、上記のような事情に鑑みなされたもので、より状況に応じたメール本文を自動的に生成することを目的とする。
【課題を解決するための手段】
【０００９】
以上の課題を解決するため、本発明の一態様によれば、
電子メールアドレスと、当該電子メールアドレスに対応付けられた個人の属性情報である第１属性情報とを含むアドレス帳が記憶された記憶手段と、
前記第１属性情報に対応する第１関連情報と当該第１属性情報とは異なり且つ当該第１関連情報に関連付けられた第２関連情報とを含む、関連情報を有するサーバーとの通信を行って、当該関連情報を当該サーバーから取得する通信手段と、を備え、
前記電子メールアドレスを宛先とする電子メールの本文を生成する際に、当該電子メールアドレスに対応付けられた前記個人の前記第１属性情報に前記第１関連情報を介して関連付けられた前記第２関連情報に基づいて、前記電子メールの本文を生成することを特徴とする電子メール装置が提供される。
上記電子メール装置において、好ましくは、前記アドレス帳は、前記電子メールアドレスに対応付けられた前記個人の属性情報であって且つ前記第１属性情報とは異なる第２属性情報を更に含み、当該第２属性情報は、前記電子メールの本文を生成する際に編集されずに前記電子メールの本文にそのまま含まれる。
上記電子メール装置において、好ましくは、前記第１属性情報は、前記電子メールの本文を生成する際に前記電子メールの本文に含まれない。
上記電子メール装置において、好ましくは、前記第１属性情報は位置を特定する位置情報であり、前記第２関連情報は当該位置における気象情報であり、前記気象情報に基づいて、前記電子メールの本文を生成する。
上記電子メール装置において、好ましくは、前記第１属性情報は前記個人の住所である。
上記電子メール装置において、好ましくは、前記第２属性情報は前記個人のニックネームである。
上記電子メール装置において、好ましくは、時刻情報を有する計時手段を更に備え、
前記計時手段が有する時刻情報に基づいて、前記電子メールの本文を生成する。
上記電子メール装置において、好ましくは、画像撮像手段を更に備え、
前記電子メール本文に挿入される語句情報を前記通信手段を介して外部から取得し、
外部から当該語句情報を取得する際に、前記画像撮像手段によって得られた操作者の顔画像に基づいて顔認識を行って、前記記憶手段のうち当該操作者専用の記録領域に当該語句情報を記憶し、
前記電子メールの本文を編集する際に、前記画像撮像手段によって得られた操作者の顔画像に基づいて顔認識を行って、当該操作者専用の前記記録領域に記憶された前記語句情報を、当該操作者が選択して当該電子メールの本文に挿入できるように、提示する。
上記電子メール装置において、好ましくは、前記サーバーが前記語句情報を有し、
前記通信手段は、前記サーバーとの通信を行って、当該語句情報を当該サーバーから取得する。
【００１０】
また、本発明の他の態様によれば、
電子メールアドレスと、当該電子メールアドレスに対応付けられた個人の属性情報である第１属性情報とを含むアドレス帳が記憶された記憶手段と、
前記第１属性情報に対応する第１関連情報と当該第１属性情報とは異なり且つ当該第１関連情報に関連付けられた第２関連情報とを含む、関連情報を有するサーバーとの通信を行って、当該関連情報を当該サーバーから取得する通信手段と、を備え、
前記電子メールアドレスを宛先とする電子メールの本文を生成する際に、当該電子メールアドレスに対応付けられた前記個人の前記第１属性情報に前記第１関連情報を介して関連付けられた前記第２関連情報に基づいて、前記電子メールの本文を生成することを特徴とする電子メール装置と、
前記関連情報を有し、前記電子メール装置に当該関連情報を提供するサーバーとを備えることを特徴とする電子メールシステムが提供される。
上記電子メールシステムにおいて、好ましくは、前記サーバーは、第２サーバーとの通信を行って、当該第２サーバーの有する情報源に基づいて前記関連情報を生成する。
【００１１】
また、本発明の更に他の態様によれば、
コンピュータにより読み取り実行可能なプログラムであって、
アドレス帳からメールアドレスを取得するステップと、
前記メールアドレスに対応する個人の住所を取得するステップと、
前記住所に基づいて地域名を特定するステップと、
サーバーから前記地域名に対応する気温情報を取得するステップと、
前記気温情報に含まれる本日の気温が第１所定値以上であるかどうかを判定するステップと、
前記本日の気温が前記第１所定値以上であった場合に、前記気温情報に含まれる昨日の気温が前記第１所定値以上であるかどうかを判定するステップと、
前記昨日の気温が前記第１所定値以上であった場合に、第１生成文を生成するステップと、を含むことを特徴とするプログラムが提供される。
上記プログラムにおいて、好ましくは、前記昨日の気温が前記第１所定値以上であった場合に、前記気温情報に含まれる２日前の気温が前記第１所定値以上であるかどうかを判定するステップと、
前記２日前の気温が前記第１所定値以上であった場合に、前記第１生成文を生成するステップと、
前記２日前の気温が前記第１所定値未満であった場合に、第２生成文を生成するステップを、更に含む。
上記プログラムにおいて、好ましくは、前記本日の気温が前記第１所定値未満であった場合に、前記本日の気温が前記第２所定値未満であるかどうかを判定するステップと、
前記本日の気温が前記第２所定値未満であった場合に、前記気温情報に含まれる昨日の気温が前記第２所定値未満であるかどうかを判定するステップと、
前記昨日の気温が前記第２所定値未満であった場合に、第３生成文を生成するステップと、を含む。
上記プログラムにおいて、好ましくは、前記昨日の気温が前記第２所定値未満であった場合に、前記気温情報に含まれる２日前の気温が前記第２所定値未満であるかどうかを判定するステップと、
前記２日前の気温が前記第２所定値未満であった場合に、前記第３生成文を生成するステップと、
前記２日前の気温が前記第２所定値以上であった場合に、第４生成文を生成するステップを、更に含む。
【００１２】
また、本発明の別の態様によれば、
コンピュータにより読み取り実行可能なプログラムであって、
撮像した画像から操作者の顔を認識するステップと、
サーバーから語句情報を取得するステップと、
当該語句情報を当該操作者に対応付けられた記憶領域に記憶するステップと、を含むことを特徴とするプログラムが提供される。
上記プログラムにおいて、好ましくは、
撮像した画像から操作者の顔を認識するステップと、
当該操作者がメール本文を編集する際に、当該操作者に対応付けられた前記記憶領域に記憶された前記語句情報を提示するステップと、を含む。
【００１３】
また、本発明の更に別の態様によれば、
アドレス帳が記憶された記憶手段と、サーバーとの通信を行って当該サーバーから関連情報を取得する通信手段と、を備える電子メール装置の本文生成方法であって、
前記アドレス帳は電子メールアドレスと、当該電子メールアドレスに対応付けられた個人の属性情報である第１属性情報とを含み、
前記サーバーは、前記第１属性情報に対応する第１関連情報と当該第１属性情報とは異なり且つ当該第１関連情報に関連付けられた第２関連情報とを含む、関連情報を有し、
前記電子メールアドレスを宛先とする電子メールの本文を生成する際に、当該電子メールアドレスに対応付けられた前記個人の前記第１属性情報に前記第１関連情報を介して関連付けられた前記第２関連情報に基づいて、前記電子メールの本文を生成することを特徴とするメール本文生成方法が提供される。
上記メール本文生成方法において、好ましくは、アドレス帳が記憶された記憶手段と、サーバーとの通信を行って当該サーバーから関連情報を取得する通信手段と、を備える電子メール装置の本文生成方法であって、
前記アドレス帳は電子メールアドレスと、当該電子メールアドレスに対応付けられた個人の属性情報である第１属性情報とを含み、
前記サーバーは、前記第１属性情報に対応する第１関連情報と当該第１属性情報とは異なり且つ当該第１関連情報に関連付けられた第２関連情報とを含む、関連情報を有し、
前記電子メールアドレスを宛先とする電子メールの本文を生成する際に、当該電子メールアドレスに対応付けられた前記個人の前記第１属性情報に前記第１関連情報を介して関連付けられた前記第２関連情報に基づいて、前記電子メールの本文を生成する。
上記メール本文生成方法において、好ましくは、前記第１属性情報は位置を特定する位置情報であり、前記第２関連情報は当該位置における気象情報であり、前記気象情報に基づいて、前記電子メールの本文を生成する。
上記メール本文生成方法において、好ましくは、前記電子メール装置は画像撮像手段を更に備え、
前記電子メール本文に挿入される語句情報を前記通信手段を介して外部から取得し、
外部から当該語句情報を取得する際に、前記画像撮像手段によって得られた操作者の顔画像に基づいて顔認識を行って、前記記憶手段のうち当該操作者専用の記録領域に当該語句情報を記憶し、
前記電子メールの本文を編集する際に、前記画像撮像手段によって得られた操作者の顔画像に基づいて顔認識を行って、当該操作者専用の前記記録領域に記憶された前記語句情報を、当該操作者が選択して当該電子メールの本文に挿入できるように、提示する。
【発明の効果】
【００１４】
本発明によれば、より状況に応じたメール本文を自動的に生成することができる。
【図面の簡単な説明】
【００１５】
【図１】本発明の実施形態に係る電子メール装置の外観を示す図である。
【図２】本発明の実施形態に係る電子メール装置の回路構成を示すブロック図である。
【図３】本発明の実施の形態に係る電子メール装置の画像ファイル構成を示す図である。
【図４】本発明の実施の形態に係る電子メール装置のアドレス帳の構成を示す図である。
【図５】本発明の実施の形態に係る配信コンテンツサーバーの関連情報データベースの構成を示す図である。
【図６】本発明の実施の形態に係る気象情報サーバーの天気情報データベースの構成を示す図である。
【図７】本発明の実施の形態に係る関連情報の生成手順を示すフローチャートである。
【図８】本発明の実施の形態に係る初期設定の処理手順を示すフローチャートである。
【図９】本発明の実施の形態に係る本文生成の処理手順を示すフローチャートである。
【図１０】本発明の実施の形態に係る本文生成処理のうち語句格納の処理手順を示すフローチャートである。
【図１１】本発明の実施の形態に係る本文生成処理のうち語句合成の処理手順を示すフローチャートである。
【図１２】本発明の実施の形態に係るサンプル文の保存手順を示すフローチャートである。
【図１３】本発明の実施の形態に係るサンプル文の保存時の表示画面を示す図である。
【図１４】本発明の実施の形態に係るサンプル文の挿入手順を示すフローチャートである。
【図１５】本発明の実施の形態に係るサンプル文の挿入時の表示画面を示す図である。
【発明を実施するための形態】
【００１６】
＜第１の実施形態＞
本発明の第１の実施形態による電子メール装置１はメール送受信機能を備え、写真の送受信ができる。複数の使用者はそれぞれ異なったメールアドレスを設定する。更に撮像手段と認識手段を有し、個人の識別、例えば顔認識のために予め複数の使用者の顔を登録しておく。そして初期登録の際にメールアドレスと関連づけ、アドレス帳に顔写真が登録される。
【００１７】
以下、本発明の第１の実施形態について説明する。図１は、本発明を適用した電子メール装置１を示す外観図である。電子メール装置１の正面には、本体２に保持された液晶表示パネル３によって構成される表示部が設けられている。この液晶表示パネル３にはタッチパネル５が一体的に構成されており、指でタッチすることにより操作可能となっている。本体２の前面上部左側には撮像素子４が設けられ、側面にはメモリカードスロット６が設けられている。更に、本体上部にＧＰＳアンテナ７，全面上部右側に人感センサ８が設けられている。
【００１８】
図２は、電子メール装置１の電気的構成を示したブロック図である。電子メール装置１は、ＣＰＵ（Central Processing Unit）１１と、ＣＰＵ１１に接続されたＲＯＭ（Read Only Memory）１２、ＲＡＭ（Random Access memory）１３、内部メモリ１４を備え、ＲＯＭ１２には、ＣＰＵ１１に後述するフローチャートに示す動作を行わせるためのプログラムが記憶されている。また、ＣＰＵ１１は、前記撮像素子８で撮像した顔を認識処理するための顔認識エンジン１００と、写真画像を絵画調の画像に変換する絵画変換エンジン２００を含んでいる。顔認識エンジン１００は、写真の中に複数の顔が写っている場合、それぞれの顔を認識する能力を備えている。顔認識方式は本発明の趣旨ではないので説明は省略するが、十分実現可能な技術である。絵画変換エンジン２００は例えば特開平８−４４８６７号公報、特開２００４−２１３５９８号公報などに開示されているような絵画変換処理を行うものである。
【００１９】
ＲＡＭ１３は、ＣＰＵ１１が必要に応じて種々のデータを一時的に記憶する作業用のメモリである。
内部メモリ１４は、ハードディスクまたはフラッシュメモリによる大容量不揮発性メモリであり、後述するフォルダが形成されて多数の画像を保存可能となっている。
計時部１５は、電子メール装置１の電源のオンオフ状態にかかわらず常に時間を刻むものであり、ＣＰＵ１１が処理を行う際に、必要に応じその時刻が参照される。
表示制御部１６は、ＣＰＵ１１から供給される表示用の画像データに基づいて液晶表示パネル３を駆動することにより、画像や各種メニューを液晶表示パネル３に表示させる。
キー入力部制御部１７はＣＰＵ１１の制御に基づいてタッチパネル５の操作信号を入力するものである。
メモリカードインターフェース１８は、メモリカードスロット６に着脱自在に装着された各種のメモリカード６０と、ＣＰＵ１１との間におけるデータの入出力を制御する入出力インターフェースである。
【００２０】
撮像制御部１９は、撮像素子８を駆動して被写体の画像を取り込む制御を行う。ベイヤーデータで取り込まれた画像データはＹＵＶ及びＲＧＢデータに変換後、ＪＰＥＧデータに圧縮して内部メモリ１４またはメモリカード６０に記録される。
ＧＰＳ制御部２０は、ＧＰＳアンテナ７で受信した情報を元に位置情報を取得する。これにより、電子メール装置１の現在位置を知ることができる。
【００２１】
人感センサ１９はＣＰＵ１１に接続され、近くに人がいるかどうかを検知するものである。従って、近くに人がいない状態が所定時間以上続くと自動的に電源を切って節電をはかる（オートパワーオフ）。
【００２２】
通信制御部３０は、電話回線３１若しくは無線ＬＡＮ３２を経由してメールの送受信を含む通信制御を行う。
３３はメール送受信に使用するアドレス帳である。実際は内部メモリ１４内に設けられる。
【００２３】
４０はネットワークを介して接続されるバックアップサーバーであり、自動的に若しくは手動指示により内部メモリ１４に記録されたデータのバックアップを行う。
５０は配信コンテンツサーバーであり、多数のコンテンツや画像を有しており、ネットワークを介して電子メール装置１へデータを配信することができる。詳しくは後述するが、配信コンテンツサーバー５０内には関連情報データベース５１が構成されている。
７０はパーソナルコンピュータであり、無線ＬＡＮ３２等で通信制御部３０を介して電子メール装置１と接続でき、電子メール装置１では設定できない複雑な設定等をすることができる。
９０は気象情報サーバーであり、本日の気象予報（温度、天気）や、本日及び昨日以前の気象情報を有しており、ネットワークを介して配信コンテンツサーバー５０へデータを配信することができる。詳しくは後述するが、気象情報サーバー９０内には気象情報データベース９１が構成されている。
【００２４】
８０は電源制御部で、電源プラグ８１を介してＡＣ電源を取り入れ、直流に変換して各部に電力を供給する。前述したオートパワーオフの制御も行う。
【００２５】
図３は、メモリカード６０に記憶されている画像ファイルの構造を示す構成図である。各画像ファイルは、ＥＸＩＦ（Exchangeable Image File Format）などのデータを有するヘッダＧ１と、撮影された画像であり本画像である画像データＧ２と、その画像データＧ２の縮小画像であるサムネイルＧ３の画像データを含む。なお、表示画面の大きさにより画面に表示すべき縮小画像の大きさが異なるため、サムネイルとは別に表示用のプレビュー画像を作成して記憶しておく場合もある。本実施の形態では、プレビュー画像も含めてサムネイルと表現している。
【００２６】
つまり、画像ファイルは、一般的なデジタルカメラのファイルフォーマットに準拠し、デジタルカメラで撮像したＳＤカード（メモリカード６０）をメモリカードスロット６に差し込むだけで使用できるようになっている。画像ファイルのフォーマットとしては、ＪＰＥＧ、ＧＩＦ、ＡＶＩなど種々のフォーマットに適宜対応可能である。
【００２７】
図４は内部メモリ１４内に構成されるアドレス帳３３の構成を示す図である。３３１はプロファイルと呼ばれる保有者のメールアドレス情報を記憶するエリアであり、３３２は送受信する相手先のメールアドレス情報を記憶するエリアである。
記録エリアＭ２はメールアドレスそのものが記録されるエリアであり、記録エリアＭ１は該当メールアドレスの保有者の名前が記録されるエリアである。名前は自由に付けることができる。記録エリアＭ３は該当メールアドレスの個人の顔画像を登録するエリアである。記録エリアＭ４は第１属性情報Ａ１である当該個人のニックネームが記録されるエリアである。また、記録エリアＭ５は当該個人の誕生日が記録されるエリアである。また、記録エリアＭ６は第２属性情報Ａ２である当該個人の自宅又は勤務先の住所が記録されるエリアである。記録エリアＭ７はその他の各種情報、例えば電話番号、メール受信音、・・・が必要に応じて適宜記録されるエリアである。
【００２８】
図５は配信コンテンツサーバー５０の図示しないメモリ内に構成される関連情報データベース５１の構成を示す図である。関連情報データベース５１はメール本文の自動生成する際に利用される各種データを含み、それらのデータのいくつかは、上述の第２属性情報Ａ２である住所が含む地域名にそれぞれ以下のようにして対応付けられている。即ち、関連情報データベース５１の記録エリアＲ１には第２属性情報Ａ２に含まれる住所に対応する地域名（例えば、沖縄県那覇市、カリフォルニア州サンフランシスコ）が記録され、記録エリアＲ２ｉ（ｉ＝０）には当該地域の本日の気象に関する情報、記録エリアＲ２ｉ（ｉ＝１、２・・・）には当該地域の昨日までの気象に関する情報が記録されている。ここでｉは０以上の整数であり、ｉ＝０、１、２本日、昨日、２日前・・・の関連情報にそれぞれ対応する。
【００２９】
この関連情報データベース５１は、少なくとも上述のアドレス帳３３の第２属性情報Ａ２に含まれた地域に対応する気象に関する情報が記録されているが、アドレス帳３３に含まれていないその他の地域に対応する気象に関する情報も多数含んでいる。
【００３０】
図６は気象情報サーバー９０の図示しないメモリ内に構成される気象情報データベース９１の構成を示す図である。気象情報データベース９１は関連情報データベース５１を構成する各種データの情報源となるデータベースであり、それらのデータのいくつかは、上述の第２属性情報Ａ２にそれぞれ以下のようにして対応付けられている。即ち、気象情報データベース９１の記録エリアＷ１には第２属性情報Ａ２に含まれる地域名に対応する地域名が記録され、記録エリアＷ２ｉｊ（ｉ＝０、ｊ＝０、１、２・・・）には当該地域の本日の気象情報が記録されており、Ｗ２ｉ（ｉ＝１、２・・・、ｊ＝０、１、２・・・）には当該地域の昨日までの各日の気象情報がそれぞれ記録されている。ここでｉは０以上の整数であり、ｉ＝０、１、２・・・のとき、記録エリアＷ２ｉにはそれぞれ本日、昨日、２日前・・・の気象情報が記録される。また、ｊは０以上の整数であり、ｊ＝０となる記録エリアＷ２ｉ０には「晴れ」や「曇り」などの天気情報、ｊ＝１となる記録エリアＷ２ｉ１には「気温」情報、ｊ＝２となる記録エリアＷ２ｉ２には「降水確率」情報、などがそれぞれ記録されている。
【００３１】
気象情報データベース９１は、少なくとも上述のアドレス帳３３の第２属性情報Ａ２に含まれた地域に対応する気象情報が記録されているが、アドレス帳３３に含まれていないその他の地域に対応する気象情報も多数含んでいる。
【００３２】
図７は気象情報データベース９１に記録された気象情報に基づいて、関連情報データベース５１を構成する関連情報を生成する際のフローを示すものである。以下では、各記録エリアＲ１、Ｒ２ｉ、Ｗ１及びＷ２ｉｊにそれぞれ記録された情報を「△△情報Ｒ１」などと称する。例えば、本実施形態では、記録エリアＲ１に記録される情報を「関連情報Ｒ１」と称する一方で、気温に関する情報が記録されるので「気温情報Ｒ１」と称するものとする。
【００３３】
まず、関連情報データベース５１を有する配信コンテンツサーバー５０は、データ送受信手段により気象情報サーバー９０と通信を行い、気象情報サーバー９０のメモリ内に構成された気象情報Ｗのうち所定の地域名情報Ｗ１に対応する各日の「気温」情報を取得する（ステップＳ１）。即ち、気象情報のうち所定の地域名情報Ｗ１と当該地域名に対応した気温情報Ｗ２ｉ１（ｉ＝０、１、２、３）とを取得する。次に、配信コンテンツサーバー５０は、関連情報データベース５１のメモリ内に構成された関連情報データベース５１に含まれる地域名情報Ｒ１の列から、ステップＳ１で取得した地域名情報Ｗ１と一致するものを探す（ステップＳ２）。
【００３４】
一致する地域名情報Ｒ１が見つかった場合には、当該地域名情報Ｒ１の関連情報Ｒ２ｉ（ｉ＝０、１、２、３）の各エリアに、気温情報Ｗ２ｉ１（ｉ＝０、１、２、３）をそれぞれ複写していく（ステップＳ３）。即ち、取得した気温情報Ｗ２ｉ１はいずれも所定の地域名に対応付けられており、気温情報Ｗ２ｉ１のうち各地域名情報Ｗ１に対応づけれられた情報である本日の気温情報Ｗ２０１、昨日までの気温情報Ｗ２ｉ１（ｉ＝１、２、３）が、関連情報データベース５１の記録エリアＲ１に記録された地域名に対応する関連情報Ｒ２０、Ｒ２ｉ（ｉ＝１、２、３）としてそれぞれ記録される。この際、関連情報Ｒ２ｉ（ｉ＝０、１、２、３）に他のデータが保存されている場合には、当該データがそれぞれ上書きされる。当該地域名情報Ｗ１に対応する全ての気温情報について複写が完了したら、再びステップＳ１に戻って、全ての地域名情報Ｗ１について処理が完了していなければ（ステップＳ４）、次の地域名情報Ｗ１について同様の処理を行う。また、上述のステップＳ２において一致する地域名情報Ｒ１が見つからなかった場合には、ステップＳ１に戻り、次の地域名情報Ｗ１について同様の処理を行う。上述のようにして、関連情報データベース５１が生成され、少なくとも一日に１回、データベースが更新される。
【００３５】
以下、本実施の形態の電子メール装置１の具体的な動作についてフローチャートを参照しながら説明する。説明を分かりやすくするためにフローチャートは操作者の操作手順に沿った表現となっている場合があるが、これに伴って回路やデータの動きについて説明をしていく。
【００３６】
図８は電子メール装置１の初期設定の際に、自分の顔と自分のメールアドレスとを対応づけて登録するための手順を示す。まず、自分のメールアドレスを設定する（ステップＳ１１）。これは基本的にはパーソナルコンピュータや携帯端末などのアドレス初期設定と同様である。電子メール装置１をネット環境に接続することにより、例えば配信コンテンツサーバー５０と接続し、本体固有のメールアドレスを取得する。取得したメールアドレスは、無線ＬＡＮ３２等で接続されたパーソナルコンピュータ７０からの操作により任意のメールアドレスに変更できる。
【００３７】
電子メール装置１の電源オン中、撮像素子８はほぼ常時撮像をしているが、操作者が自分のメールアドレスが液晶表示パネル３に表示されている状態で（ステップＳ１２）、液晶表示パネル３に表示される顔登録ボタンをタッチパネル５でタッチすると（ステップＳ１３）、ＣＰＵ１１は顔認識エンジン１００により操作者の顔を認識し、操作者の顔がアドレス帳３３に登録される（ステップＳ１４）。
【００３８】
電子メール装置１により受信したメールを液晶表示パネル３に表示中に当該画面の所定の位置に表示された返信用アイコンをタップすると、メール作成初期画面が起動する。この際、これから作成を行うメールの宛先に、上記の受信メールを送信した相手のメールアドレスが設定された状態で、メール作成初期画面が起動する。このメール作成初期画面を起動するまでの手順は一般的に行われている手順と同様である。なお、液晶表示パネル３の所定の位置に表示されたアドレス帳表示用アイコンをタップしてアドレス帳を起動し、アドレス帳で作成するメールの送信先を選択後、当該送信先を確定することによって、メール作成初期画面を起動してもよい。
【００３９】
上述のメール作成初期画面を起動する際にＣＰＵ１１により本文生成処理が行われ、当該処理により自動生成されたメッセージが本文に挿入された状態でメール作成初期画面が起動される。図９は本文生成の処理手順を示すフローチャートである。
【００４０】
まず、ＣＰＵ１１は、これから新規作成するメールの宛先に設定されたメールアドレスを取得する（ステップＳ２１）。次に、アドレス帳３３に記録されたアドレス情報のうち、取得したメールアドレスに対応付けられた個人のニックネームと、当該個人の住所とを取得する（ステップＳ２２）。次に、取得した住所から地域名を特定する（ステップＳ２３）。例えば、住所に「沖縄県那覇市△△町１−１−１」と記録されていた場合には、県と市の名称とを含む「沖縄県那覇市」を地域名とする。次に、関連情報データベース５１に記録された関連情報のうち、地域名に対応する関連情報である本日の気温情報Ｒ２０、昨日、２日前、３日前の各気温情報Ｒ２１、Ｒ２２、Ｒ２３を取得する（ステップＳ２４）。
【００４１】
次に、取得した関連情報Ｒのうち本日の気温情報Ｒ２を含むメッセージを生成する（ステップＳ２５）。具体的なメッセージとしては例えば「〔ケンさん〕、〔こんにちは〕。〔今日は〕〔沖縄は〕〔大変暑いようですね〕。いかがお過ごしですか。」といったものである。ここで「○○」の部分には、上述のステップＳ２２で取得したニックネームを挿入する。ＣＰＵ１１は、このようにして生成したメッセージを本文中に挿入した状態で、メール作成初期画面を起動する。ここで、上記の生成メッセージのうちカッコ〔〕でくくった部分が状況に応じて変更される部分である。
【００４２】
以下で、上述の本文生成処理のうちステップＳ２５において行われる語句格納処理及び語句合成処理について、図１０及び図１１を用いてより詳しく説明する。図１０は語句格納の処理手順を示すフローチャートであり、図１１は語句合成の処理手順を示すフローチャートである。まず、図１０に示すように、ＣＰＵ１１は、電子メール装置１の計時部１５から現在時刻を取得する（ステップＳ３１）。次に、現在時刻が午前４時から午前１０時であるときは「おはようございます」という語句を、現在時刻が午前１０時から午前１８時であるときは「こんにちは」という語句を、現在時刻が午前０時から午前４時または午前１８時から午前０時であるときは「こんばんは」という語句を、ＲＡＭ１３の語句格納エリアＴ１１に記録する（ステップＳ３２）。
【００４３】
次に、上述のステップＳ２２で得られたニックネームに基づいて、「ケンさん」という語句をＲＡＭ１３の語句格納エリアＴ１２に記録する（ステップＳ３３）。また、上述のステップＳ２３で特定した地域名のうち都道府県名である「沖縄」に基づいて、「沖縄は」という語句をＲＡＭ１３の語句格納エリアＴ１４に記録する（ステップＳ３４）。
【００４４】
次に、上述のステップＳ２４で得られた気温情報Ｒ２０の温度が第１所定値（例えば３５℃）以上であるかどうかを判定する（ステップＳ３５）。「３５℃以上である」と判定した場合は、続けて、気温情報Ｒ２ｉの温度が上述の第１所定値以上であるかどうかを判定する（ステップＳ３６）。気温情報Ｒ２ｉ（ｉ＝１）の温度が「３５℃以上である」と判定した場合は、ｉ＝２として、気温情報Ｒ２ｉ（ｉ＝２）の温度が上述の第１所定値以上であるかどうかを判定する（ステップＳ３７）。上述の第１所定値以上であった場合には、「ここのところ」という語句（第１生成文）をＲＡＭ１３の語句格納エリアＴ１３に記録するとともに「大変暑い日が続いているようですね」という語句（第１生成文）をＲＡＭ１３の語句格納エリアＴ１５に記録し、語句格納フラグＦの値を１とする（ステップＳ３８）。
【００４５】
ステップＳ３６又はステップＳ３７で「３５℃未満である」と判定した場合は、「今日は」という語句（第２生成文）をＲＡＭ１３の語句格納エリアＴ１３に記録するとともに「大変暑いようですね」という語句（第２生成文）をＲＡＭ１３の語句格納エリアＴ１５に記録し、語句格納フラグＦの値を１とする（ステップＳ３９）。
【００４６】
一方、ステップＳ３５で「３５℃未満である」と判定した場合は、続けて、気温情報Ｒ２０の温度が第２所定値（例えば１０℃）未満であるかどうかを判定する（ステップＳ４０）。「１０℃未満である」と判定した場合は、続けて、気温情報Ｒ２ｉ（ｉ＝１）の温度が上述の第２所定値未満であるかどうかを判定する（ステップＳ４１）。気温情報Ｒ２ｉ（ｉ＝１）の温度が「１０℃未満である」と判定した場合は、ｉ＝２として、気温情報Ｒ２ｉ（ｉ＝２）の温度が上述の第１所定値未満であるかどうかを判定する（ステップＳ４２）。上述の第２所定値未満であった場合には、「ここのところ」という語句（第３生成文）をＲＡＭ１３の語句格納エリアＴ１３に記録するとともに「大変寒い日が続いているようですね」という語句（第３生成文）をＲＡＭ１３の語句格納エリアＴ１５に記録し、語句格納フラグＦの値を１とする（ステップＳ４３）。
【００４７】
ステップＳ４１又はＳ４２で「１０℃以上である」と判定した場合は、「今日は」という語句（第４生成文）をＲＡＭ１３の語句格納エリアＴ１３に記録するとともに「大変寒いようですね」という語句（第４生成文）をＲＡＭ１３の語句格納エリアＴ１５に記録し、語句格納フラグＦの値を１とする（ステップＳ４４）。なおステップＳ４０で「１０℃以上である」と判定した場合は、ＲＡＭ１３の語句格納エリアＴ１３、Ｔ１５にはそれぞれ何も格納されず、語句格納フラグＦの値を０とし（ステップＳ４５）、本文生成処理を終了する。
【００４８】
以上の手順により、ＲＡＭ１３の語句格納エリアＴ１１には「こんにちは」が、Ｔ１２には「ケンさん」が、Ｔ１３には「今日は」又は「ここのところ」のいずれかが、Ｔ１４には「沖縄は」が、Ｔ１５には「大変暑いようですね」、「大変暑い日が続いているようですね」、「大変寒いようですね」又は「大変寒い日が続いているようですね」のいずれかが、それぞれ記録されている。次に、図１１に示すように、語句格納フラグＦの値を判定し（ステップＳ４６）、語句格納フラグＦの値が１であるときは、各語句格納エリアＴ１１〜Ｔ１５にそれぞれ格納された語句を合成して（ステップＮＮ）、「〔ケンさん〕、〔こんにちは〕。〔今日は〕〔沖縄は〕〔大変暑いようですね〕。いかがお過ごしですか。」というメッセージを生成する（ステップＳ４７）。ステップＳ４６において、語句格納フラグＦの値が０であるときは、各語句格納エリアＴ１１及びＴ１２にそれぞれ格納された語句を合成して（ステップＮＮ）、「〔ケンさん〕、〔こんにちは〕。いかがお過ごしですか。」というメッセージを生成する（ステップＳ４８）。
【００４９】
上述の第１の実施形態によれば、メール受信者に対する挨拶や当該受信者が居住する地域の気候に関するメッセージを本文に含んだ状態でメールを自動生成することができるので、より状況に応じたメール本文を自動的に生成することができる。
【００５０】
なお本実施形態では、気象に関するメッセージを本文に含むこととしたが、これに限らず、上述のステップＳ２２においてメールアドレスに対応付けられた個人の誕生日を取得して、当該メールを作成している日付がメール受信者の誕生日であれば、「誕生日おめでとうございます。」という文をメッセージ本文に含むこととしてもよい。この場合も、より状況に応じたメール本文を自動的に生成することができる。また一日に１回、予め定められた時刻に配信コンテンツサーバー５０又は気象情報サーバー９０と通信を行って、電子メール装置１の内部メモリ１４内に関連情報データベース５１を記録するようにしてもよい。この場合、上述の本文生成処理のうちステップＳ３８、Ｓ３９、Ｓ４３、Ｓ４４において、当該内部メモリ１４に記録された関連情報を取得すれば良いので、本文生成処理に際しては配信コンテンツサーバー５０と通信する必要がなくなる。また本実施形態では、本日から３日前までの気象情報に基づいて本文生成処理を行うこととしたが、４日前以前の気象情報に基づいて本文生成処理を行ってもよい。さらに本実施形態では、気象情報のうち気温情報を利用するものとしたが、天気情報や降水確率情報などを利用してもよい。
【００５１】
＜第２の実施形態＞
以下、本発明の第２の実施形態について説明する。本実施形態のうち、上述した第１の実施形態と同様であるものについては説明を省略する。
【００５２】
図１２は配信コンテンツサーバー５０からインターネット経由でサンプル文（語句情報）をダウンロードし、電子メール装置１の内部メモリ１４に当該サンプル文を保存する際の手順を示す図であり、図１３は各手順における画面の状態を示す図である。まず、操作者が電子メール装置１の液晶表示パネル３に表示されたネットワーク接続用アイコンをタップする（ステップＳ５１、図１３（ａ））。そのとき撮像素子８は操作者を撮影しているので、ＣＰＵ１１は顔認識エンジン１００を用いて顔認識を行う（ステップＳ５２）。
【００５３】
ステップＳ５３では、顔認識した結果、認識した人（操作者）のフォルダが存在しているかどうかを判断する。操作者のフォルダ（記録領域）Ｆ１が存在しているときは、フォルダＦ１を選択し（ステップＳ５４）、該当するフォルダが存在していない新しい人であれば、新たに顔を登録し、フォルダを作成する（ステップＳ５５）。
【００５４】
次に、電子メール装置１のＣＰＵ１１は通信制御部３０を制御することで、電話回線３１又は無線ＬＡＮ３２を介してインターネット上の配信コンテンツサーバー５０との接続を確立する（ステップＳ５６）。配信コンテンツサーバー５０との接続が確立されると、ＣＰＵ１１は当該配信コンテンツサーバー５０との間で通信を行い、電子メール装置１の液晶表示パネル３に所定のスタート画面が表示される（ステップＳ５７、図１３（ｂ））。
【００５５】
次に、操作者が当該スタート画面に表示されたサンプル文ダウンロード用アイコンをタップすると（ステップＳ５８、図１３（ｃ））、それぞれ異なるカテゴリを示す複数のカテゴリアイコンが一覧表示される（ステップＳ５９、図１３（ｄ））。複数のカテゴリアイコンのうち一つを操作者がタップすると（ステップＳ６０、図１３（ｅ））、当該カテゴリに対応するサンプル文が一覧表示される（ステップＳ６１、図１３（ｆ））。操作者が、サンプル文一覧の中から１つ又は複数を選択してから、液晶表示パネル３に表示されたダウンロード開始用アイコンをタップすると（ステップＳ６２、図１３（ｇ））、ＣＰＵ１１は配信コンテンツサーバー５０から当該サンプル文をダウンロードを開始し（ステップＳ６３）、ダウンロードしたサンプル文を電子メール装置１の内部メモリ１４内の当該操作者のフォルダＦ１に保存する（ステップＳ６４）。すなわち、操作者は特に意識することなく、自分のフォルダにサンプル文を保存することができる。なおサンプルのカテゴリは例えば、「季節」や「御礼」、「行事」、「慶弔」などであり、「季節」のカテゴリには、例えば「暑中お見舞い申し上げます。」や「あけましておめでとうございます。」といったものが含まれる。
【００５６】
図１４はメール作成時のサンプル文の挿入手順について説明するものであり、図１５は各手順における画面の状態を示す図である。メール作成手順において、自動生成されたメッセージを本文に含んだ状態でメール作成初期画面が起動される。当該メール作成初期画面が表示されるまでの手順は、第１の実施形態で説明したものと同様であるので説明を省略する。
メール作成初期画面が起動されて操作者がメールを作成しようとしている状態（図１５（ａ））では、撮像素子８が操作者を撮像しているので、ＣＰＵ１１と顔認識エンジン１００が協働して操作者の顔を認識し（ステップＳ７１）、メール作成初期画面が起動されたとき、認識した顔の人が登録されているかどうかを判断する（ステップＳ７２）。顔が登録されていれば、電子メール装置の保有者であると推定できるので、ステップＳ７３に進み、対応するフォルダ、即ち操作者のフォルダＦ１に保存されているサンプル文と共用フォルダＦＣに保存されているサンプル文とを選択可能にする。他の人のフォルダに保存されたサンプル文は表示できない。そしてステップＳ７５へ進み、所定のサンプル文挿入動作を行う。なおステップＳ７２において顔が登録されていないときは、ステップＳ７４に進み、共用フォルダＦＣに保存されているサンプル文だけを選択可能にする。この場合もちろん他の人のフォルダに保存されたサンプル文は表示できない。なお共用フォルダＦＣに保存されるサンプル文として、プロファイル３３１に記憶されていない人がダウンロードしたサンプル文を共用フォルダＦＣに保存するようにしてもよいし、電子メール装置１が自動的にダウンロードしたサンプル文を共用フォルダＦＣに保存するようにしてもよい。
【００５７】
次に、メール作成初期画面に表示されたサンプル文挿入用アイコンをタップすると（ステップＳ７５、図１５（ｂ））、ＣＰＵ１１は内部メモリ１４の操作者のフォルダＦ１及び共用フォルダＦＣに保存された全てのサンプル文を一覧表示する（ステップＳ７６、図１５（ｃ））。一覧の中から挿入したいサンプル文を選択してサンプル文挿入用アイコンをタップをすると（ステップＳ７７、図１５（ｄ））、作成中のメール本文にサンプル文が挿入され、メール作成初期画面に戻る（ステップＳ７８、図１５（ｅ））。以上でメール本文へのサンプル文の挿入が完了する。なお当該メール作成初期画面においてメール送信用アイコンをタップすると、電話回線３１又は無線ＬＡＮ３２を介してメールが送信される。
【００５８】
上述の第２の実施形態によれば、操作者がネットワークを介して予め取得し内部メモリ１４に保存しておいたサンプル文を、当該操作者がメールを作成するときにメール本文に挿入することができるので、より状況に応じたメール本文を自動的に生成することができる。この際、操作者は特に意識することなく、自分が登録したサンプル文及び共用のサンプル文だけをメール本文に挿入することができる。
【００５９】
なお本実施形態では、サンプル文を予めダウンロードしておくこととしたが、これに限らず、当該メールを作成している最中にネットワークを介してサンプル文を取得するようにしてもよい。この場合も、より状況に応じたメール本文を生成することができることは言うまでもない。またこの場合には、メール作成時にネットワークを介して情報を得ることにより、最新情報を含むメール本文を作成することができる。
【符号の説明】
【００６０】
１    電子メール装置
２    本体
３    液晶表示パネル
４    撮像素子
５    タッチパネル
６    メモリカードスロット
７    ＧＰＳアンテナ
８    人感センサ
１１    ＣＰＵ
１２    ＲＯＭ
１３    ＲＡＭ
１４    内部メモリ（記憶手段）
１５    計時部
１６    表示制御部
１７    キー入力制御部
１８    メモリカードインターフェース
１９    撮像制御部
２０    ＧＰＳ制御部
３０    通信制御部
３３    アドレス帳
４０    バックアップサーバー
５０    配信コンテンツサーバー（サーバー）
５１    関連情報データベース
６０    メモリカード
９０    気象情報サーバー（第２サーバー）
９１    気象情報データベース
１００    顔認識エンジン
２００    絵画変換エンジン
Ｆ１    フォルダ（記録領域）
Ｍ１    名前
Ｍ２    メールアドレス
Ｍ３    顔画像
Ｍ４    ニックネーム（第２属性情報）
Ｍ５    誕生日
Ｍ６    住所（第１属性情報）
Ｍ７    その他の情報
Ｒ１    地域名（第１関連情報）
Ｒ２０、Ｒ２１、Ｒ２２、Ｒ２３    気温情報（第２関連情報）
Ｗ１    地域名
Ｗ２０、Ｗ２１、Ｗ２２、Ｗ２３    気象情報（情報源）
Ｗ２０１、Ｗ２１１、Ｗ２２１、Ｗ２３１    天気情報（情報源）
Ｗ２０２、Ｗ２１２、Ｗ２２２、Ｗ２３２    気温情報（情報源）
Ｗ２０３、Ｗ２１３、Ｗ２２３、Ｗ２３３    降水確率情報（情報源）
【図１】
2012068805.tif 000003
【図２】
2012068805.tif 000004
【図３】
2012068805.tif 000005
【図４】
2012068805.tif 000006
【図５】
2012068805.tif 000007
【図６】
2012068805.tif 000008
【図７】
2012068805.tif 000009
【図８】
2012068805.tif 000010
【図９】
2012068805.tif 000011
【図１０】
2012068805.tif 000012
【図１１】
2012068805.tif 000013
【図１２】
2012068805.tif 000014
【図１３】
2012068805.tif 000015
【図１４】
2012068805.tif 000016
【図１５】
2012068805.tif 000017